(57)【要約】    【課題】  拡形状態で多数の雨傘等の対象物品を支持し得、拡形と縮形を行う上で、対象物品を支持する部材等を変位又は変形させる操作を要せず、そのような変位や変形の可能な構造も要しない。    【解決手段】  左右前側支柱部Ｅａの上端部から後方に向かって前側片持部Ｆａを設ける。前側片持部Ｆａにおける前後２箇所に傘支持部Ｆｂを架設する。後側支柱部Ｑａの上端部から前方に向かって後側片持部Ｒａを設ける。後側片持部Ｒａにおける前後２箇所に、傘支持部Ｆｂよりも上方に位置する傘支持部Ｒｂを架設する。使用時は、連係機構Ｏが開いて前方側支持体部Ｅと後方側支持体部Ｑが離隔し、傘支持部Ｆｂと各傘支持部Ｒｂは前後方向に離隔する。縮形時は、連係機構Ｏが閉じて前方側支持体部Ｅと後方側支持体部Ｑが近接し、傘支持部Ｆｂは、前後方向においてほぼ同じ位置において傘支持部Ｒｂの下方に位置する。【選択図】      図１
2008301844.tif 000002
【特許請求の範囲】
【請求項１】
それぞれ別個の被支持部を固定的に支持する複数の支持体部を備える拡縮可能支持装置であって、
前記各支持体部は、前後方向において、近接し合った位置と、離隔し合った位置をとり得るように連係しており、
前記各支持体部が離隔し合った位置をとる場合、それらの各支持体部により支持された各被支持部は、前後方向に離隔するか若しくは無間隙であり又は重なり合う度合いが小さくなって、装置が前後方向に拡形した状態をなし、
前記各支持体部が近接し合った位置をとる場合、それらの各支持体部により支持された各被支持部は、前後方向に重なり合うか又は重なり合いの度合いが大きい状態で上下に位置して、装置が前後方向に縮形した状態をなすことを特徴とする拡縮可能支持装置。
【請求項２】
上記複数の支持体部が、前方側に位置する前方側支持体部と、後方側に位置する後方側支持体部であり、
前記前方側支持体部に固定的に支持された被支持部は、前方側支持体部から後方に張り出した前方側被支持部であり、
前記後方側支持体部に固定的に支持された被支持部は、後方側支持体部から前方に張り出した後方側被支持部であり、
前方側支持体部と後方側支持体部は、前後方向において、近接し合った位置と、離隔し合った位置をとり得るように連係しており、
前方側支持体部と後方側支持体部が離隔し合った位置をとる場合、前方側被支持部と後方側被支持部は、前後方向に離隔するか若しくは無間隙であり又は重なり合う度合いが小さく、装置が前後方向に拡形した状態をなし、
前方側支持体部と後方側支持体部が近接し合った位置をとる場合、前方側被支持部と後方側被支持部は、前後方向に重なり合うか又は重なり合いの度合いが大きい状態で上下に位置して、装置が前後方向に縮形した状態をなす請求項１記載の拡縮可能支持装置。
【請求項３】
互いに連係した前方側支持体部と後方側支持体部が、少なくとも装置が前後方向に拡形した状態において被載置面上に自立し得る請求項２記載の拡縮可能支持体。
【請求項４】
前方側支持体部と後方側支持体部の下端部に、被載置面上を転動し得る転動支持部を備えた請求項３記載の拡縮可能支持体。
【請求項５】
前方側被支持部と後方側被支持部に、装置が前後方向に拡形した状態において傘を吊下支持する傘支持部を備える請求項２、３又は４記載の拡縮可能支持体。
【請求項６】
装置が前後方向に拡形した状態において傘支持部の下方に位置して傘支持部に吊下支持された傘からの滴を受ける前方側受皿部及び後方側受皿部を有し、
装置が前後方向に拡形した状態においては前方側受皿部と後方側受皿部はそれぞれ正立状をなして前後に並び、装置が前後方向に縮形した状態においては、前方側受皿部及び後方側受皿部は、前方側受皿部の後側及び後方側受皿部の前側が上方に位置して互いに背中合わせ状に傾斜又は横倒する請求項２乃至５の何れか１項に記載の拡縮可能支持体。
【発明の詳細な説明】
【技術分野】
【０００１】
本発明は、使用時は拡形状態で多数の雨傘等の対象物品を支持することができ、不使用時は縮形することができる拡縮可能支持体に関する。
【背景技術】
【０００２】
特許第３４６７０６４号公報（特許文献１）には、前面に開口部を有し、略垂直方向へ伸びる固定部材２と、固定部材の前面の開口部を開閉可能で略垂直方向へ伸びる蓋体３と、蓋体３を、傘立て不使用時は上記固定部材の前面開口部を閉鎖する位置に配置し、使用時には、上記蓋体を上記固定部材と所定の距離だけ離間されて対向した位置に平行移動可能な移動機構８を有し、不使用時に固定部材内に収納されて、使用時に該固定部材の上部及び上記蓋体の上部間に架け渡して傘を保管する仕切枠材４を有する傘立て装置が開示されている。
【０００３】
この傘立て装置は、不使用時に固定部材の前面開口部を蓋体により閉鎖し、傘を保管するための使用時には蓋体を固定部材と所定の距離だけ離間されて対向した位置に平行移動させるものである。傘を保管する仕切枠材は、不使用時には固定部材内に収納され、使用時には固定部材の上部と蓋体の上部の間に架け渡した状態とする。
【０００４】
従来の拡形及び縮形が可能な傘支持装置において拡形及び縮形の操作を行う場合、このように、傘を支持する部材を装置に対し回動させて架け渡すという操作或いは当該部材に対しその他の変位又は変形等を行わせる操作の必要があり、装置の拡縮作業に円滑を欠く点や、そのような変位や変形を可能とする構造を設けるために製造コストが増大し、耐久性が低下し、又は重量が増大するおそれががあった。傘以外の物品を対象とする拡縮可能支持装置の場合も同様である。
【特許文献１】特許第３４６７０６４号公報
【発明の開示】
【発明が解決しようとする課題】
【０００５】
本発明は、従来技術に存した上記のような課題に鑑み行われたものであって、その目的とするところは、使用時は拡形状態で多数の雨傘等の対象物品を支持することができ、不使用時は縮形することができ、装置の拡形と縮形を行う上で、対象物品を支持する部材等を変位又は変形させる操作を要せず、そのような変位や変形の可能な構造も要しない拡縮可能支持体を提供することにある。
【課題を解決するための手段】
【０００６】
上記目的を達成する本発明の拡縮可能支持装置は、
それぞれ別個の被支持部を固定的に支持する複数の支持体部を備える拡縮可能支持装置であって、
前記各支持体部は、前後方向において、近接し合った位置と、離隔し合った位置をとり得るように連係しており、
前記各支持体部が離隔し合った位置をとる場合、それらの各支持体部により支持された各被支持部は、前後方向に離隔するか若しくは無間隙であり又は重なり合う度合いが小さくなって、装置が前後方向に拡形した状態をなし、
前記各支持体部が近接し合った位置をとる場合、それらの各支持体部により支持された各被支持部は、前後方向に重なり合うか又は重なり合いの度合いが大きい状態で上下に位置して、装置が前後方向に縮形した状態をなすことを特徴とする。
【０００７】
各支持体部が離隔し合った位置とすることにより、それらの各支持体部により支持された各被支持部は、前後方向に離隔するか若しくは無間隙であり又は重なり合う度合いが小さくなって、装置が前後方向に拡形した状態になる。この状態において、各被支持部に所要物品類を支持して装置を使用し得る。
【０００８】
各支持体部を近接し合った位置とすることにより、それらの各支持体部により支持された各被支持部は、前後方向に重なり合うか又は重なり合いの度合いが大きい状態で上下に位置して、装置が前後方向に縮形した状態になる。
【０００９】
各被支持部はそれぞれの支持体部に固定的に支持されているので、装置の拡形と縮形を行う上で、各支持体部を前後方向において離隔し合った位置と近接し合った位置の間で相対移動させる際に、各被支持部を支持体部に対し変位又は変形させる操作を要せず、そのような変位や変形の可能な構造も要しない。そのため、装置の拡形と縮形の操作が容易で取り扱い性に優れると共に、複雑な構造を要しないため製造コスト低減、高耐久性化及び軽量化等にも有利である。
【００１０】
なお、複数の支持体部のそれぞれに固定的に支持されている被支持部は、実質上別個であればよく、装置の前後方向拡縮に支障がない程度の連結、例えば可撓性材料や可撓性のある構造体により被支持部同士が連結しているもの等は必ずしも排除されない。
【００１１】
また、支持体部による被支持部の固定的支持というのは、支持体部と被支持部が剛性材料により一体物となっている状態で支持体部が被支持部を支持する場合や、被支持部を支持体部が剛接合により支持する場合のように、固定支持と言い得る場合の他、若干の弾性的な変形等が生じ得るため固定支持とまでは言い難い場合でも、支持体部に対し実質上の変形や変位を生じないように被支持部を支持する場合を含む。
【００１２】
また、各支持体部が前後方向において近接し合った位置というのは、互いに最も近接した位置又はそれに近い位置を意味し、支持体部同士が前後方向に同一位置である場合を含む。各支持体部が前後方向において離隔し合った位置というのは、互いに最も離隔した位置又はそれに近い位置を意味し、一部前後方向に重なり合っていてもよい。
【００１３】
各被支持部が上下に位置するというのは、各被支持部の全長にわたり上下関係が同じである必要はない。上下が入れ替わったり、高さが変化してもよい。
【００１４】
また、本発明の拡縮可能支持装置は、拡形状態において又は拡形状態及び縮形状態の何れにおいても自立し得るものであることが望ましい。しかしながら、例えば別の構造物によって各支持体部が支持されたものであってもよい。
【００１５】
本発明の拡縮可能支持装置は、
上記複数の支持体部が、前方側に位置する前方側支持体部と、後方側に位置する後方側支持体部であり、
前記前方側支持体部に固定的に支持された被支持部は、前方側支持体部から後方に張り出した前方側被支持部であり、
前記後方側支持体部に固定的に支持された被支持部は、後方側支持体部から前方に張り出した後方側被支持部であり、
前方側支持体部と後方側支持体部は、前後方向において、近接し合った位置と、離隔し合った位置をとり得るように連係しており、
前方側支持体部と後方側支持体部が離隔し合った位置をとる場合、前方側被支持部と後方側被支持部は、前後方向に離隔するか若しくは無間隙であり又は重なり合う度合いが小さく、装置が前後方向に拡形した状態をなし、
前方側支持体部と後方側支持体部が近接し合った位置をとる場合、前方側被支持部と後方側被支持部は、前後方向に重なり合うか又は重なり合いの度合いが大きい状態で上下に位置して、装置が前後方向に縮形した状態をなすものとすることが望ましい。
【００１６】
この場合、前方側被支持部は前方側支持体部から後方に張り出しており、後方側被支持部は後方側支持体部から前方に張り出しているため、前方側支持体部と後方側支持体部が離隔し合った位置をとって装置が前後方向に拡形した状態において、それらの前方側支持体部と後方側支持体部は、前方側被支持部及び後方側被支持部の双方に対しそれぞれ前方側及び後方側に位置する。そのため、装置が前後方向に拡形して、前方側被支持部及び後方側被支持部に所要物品類を支持し得る状態において、それらの前方側被支持部及び後方側被支持部を前方側支持体部と後方側支持体部により安定性良好に支持することができる。
【００１７】
前方側支持体部と後方側支持体部が近接し合った位置では、前方側被支持部と後方側被支持部は、前後方向に重なり合うか又は重なり合いの度合いが大きい状態で上下に位置することにより、装置は、前後方向に十分に縮形される。
【００１８】
上記拡縮可能支持装置は、互いに連係した前方側支持体部と後方側支持体部が、少なくとも装置が前後方向に拡形した状態において被載置面上に自立し得るものであることが望ましい。
【００１９】
この場合、前方側被支持部は前方側支持体部から後方に張り出しており、後方側被支持部は後方側支持体部から前方に張り出しているため、前方側支持体部と後方側支持体部が離隔し合った位置をとって装置が前後方向に拡形した状態において、それらの前方側支持体部と後方側支持体部は、前方側被支持部及び後方側被支持部の双方に対しそれぞれ前方側及び後方側に位置する。そのため、装置が前後方向に拡形して前方側被支持部及び後方側被支持部に所要物品類を支持し得る状態において、それらの前方側被支持部及び後方側被支持部を前方側支持体部と後方側支持体部により安定支持し得ると共に、前方側支持体部と後方側支持体部による装置の良好な自立安定性を実現することができる。
【００２０】
前方側支持体部と後方側支持体部が近接し合った位置では、前方側被支持部と後方側被支持部は、前後方向に重なり合うか又は重なり合いの度合いが大きい状態で上下に位置することにより、装置は、前後方向に十分に縮形される。
【００２１】
また上記拡縮可能支持装置は、前方側支持体部と後方側支持体部の下端部に、被載置面上を転動し得る転動支持部を備えたものとすることが望ましい。
【００２２】
この場合、前方側支持体部と後方側支持体部を、前後方向において離隔し合った位置と近接し合った位置の間で相対移動させる際、並びに、装置全体を移動させる場合に、被載置面上を転動させて円滑に移動を行い得る。
【００２３】
また上記拡縮可能支持装置は、前方側被支持部と後方側被支持部に、装置が前後方向に拡形した状態において傘を吊下支持する傘支持部を備えるものであることが望ましい。
【００２４】
この場合、装置が前後方向に拡形した状態において、前方側被支持部と後方側被支持部のそれぞれにおける傘支持部により傘を吊下支持することができる。
【００２５】
また、上記拡縮可能支持装置は、
装置が前後方向に拡形した状態において傘支持部の下方に位置して傘支持部に吊下支持された傘からの滴を受ける前方側受皿部及び後方側受皿部を有し、
装置が前後方向に拡形した状態においては前方側受皿部と後方側受皿部はそれぞれ正立状をなして前後に並び、装置が前後方向に縮形した状態においては、前方側受皿部及び後方側受皿部は、前方側受皿部の後側及び後方側受皿部の前側が上方に位置して互いに背中合わせ状に傾斜又は横倒するものであることが望ましい。
【００２６】
この場合、装置を前後方向に拡形させた状態では、前方側受皿部と後方側受皿部は、それぞれ正立状をなして前後に並び、その状態で、傘支持部に支持された傘からの滴を受ける。
【００２７】
装置を前後方向に縮形させるために前方側支持体部と後方側支持体部を近接させようとすると、それに伴い、前方側受皿部及び後方側受皿部は、前方側受皿部の後側及び後方側受皿部の前側が上方に位置して互いに背中合わせとなるように傾斜又は横倒することにより、装置全体の縮形を行うことができる。
【発明の効果】
【００２８】
本発明の拡縮可能支持装置において、各被支持部はそれぞれの支持体部に固定的に支持されているので、装置の拡形と縮形を行う上で、各支持体部を前後方向において離隔し合った位置と近接し合った位置の間で相対移動させる際に、各被支持部を支持体部に対し変位又は変形させる操作を要せず、そのような変位や変形の可能な構造も要しない。そのため、装置の拡形と縮形の操作が容易で取り扱い性に優れると共に、複雑な構造を要しないため製造コスト低減、高耐久性化及び軽量化等にも有利である。
【発明を実施するための最良の形態】
【００２９】
本発明の実施の形態を、図面を参照しつつ説明する。
【００３０】
図面は何れも本発明の拡縮可能支持装置の実施の形態としての傘保持装置の一例に関するものであって、図１は拡形状態の右側面図、図２は縮形状態の右側面図、図３は拡形状態の正面図、図４は拡形状態の平面図である。なお、本発明の拡縮可能支持装置は、傘以外の各種物品を支持するための装置として用いることもできる。
【００３１】
この傘保持装置は、主として、前方側支持体部Ｅ及び後方側支持体部Ｑと、前方側被支持部Ｆ及び後方側被支持部Ｒと、左右の連係機構Ｏと、前方側受皿部Ｍａ及び後方側受皿部Ｍｂからなる。
【００３２】
前方側支持体部Ｅは、左右の前側支柱部Ｅａが、上下中間位置において前側上水平部Ｅｂにより連結されると共に下端部において前側下水平部Ｅｃにより連結されることにより構成されている。
【００３３】
前方側被支持部Ｆは、左右の前側支柱部Ｅａの上端部からそれぞれ後方に向かって水平状に張り出した前側片持部Ｆａと、その前側片持部Ｆａにおける前後２箇所において、それぞれ左右の前側支柱部Ｅａにわたり架設された傘支持部Ｆｂからなる。
【００３４】
前方側支持体部Ｅにおける左右の前側支柱部Ｅａと、前方側被支持部Ｆにおける左右前側片持部Ｆａは、それぞれ金属製パイプ等の剛性材料による一体物であるため、前方側被支持部Ｆは、前方側支持体部Ｅにより固定的に支持された状態となっている。
【００３５】
後方側支持体部Ｑは、前側支柱部Ｅａよりも高い左右の後側支柱部Ｑａが、前方側支持体部Ｅの場合と同様に上下中間位置において後側上水平部（図示せず）により連結されると共に下端部において後側下水平部（図示せず）により連結されることにより構成されている。また後方側支持体部Ｑには、上方突出の表示板Ｐが設けられている。
【００３６】
後方側被支持部Ｒは、左右の後側支柱部Ｑａの上端部からそれぞれ前方に向かって水平状に張り出した後側片持部Ｒａと、その後側片持部Ｒａにおける前後２箇所において、それぞれ左右の後側片持部Ｒａにわたり架設された傘支持部Ｒｂからなる。後方側被支持部Ｒにおける後側片持部Ｒａ及び傘支持部Ｒｂは、前方側被支持部Ｆにおける前側片持部Ｆａ及び傘支持部Ｆｂよりも上方に位置する。  後方側支持体部Ｑにおける左右の後側支柱部Ｑａと、後方側被支持部Ｒにおける左右後側片持部Ｒａは、それぞれ金属製パイプ等の剛性材料による一体物であるため、後方側被支持部Ｒは、後方側支持体部Ｑにより固定的に支持された状態となっている。
【００３７】
なお、例えば、前方側支持体部Ｅと後方側支持体部Ｑの間に１又は２以上の支持体部を有し、それらの支持体部に、前方側被支持部Ｆと後方側被支持部Ｒの中間の高さに位置する被支持部を設けるようにすることも可能である。
【００３８】
各傘支持部Ｆｂ及びＲｂは、左右方向に細長い形状をなし、各傘支持部Ｆｂ及びＲｂには、多数の傘保持器Ｋがそれぞれ左右方向に整列した状態で設けられている。各傘保持器Ｋは、傘の把手側部分を保持してその傘を吊下支持し得、且つ、各傘保持器Ｋに錠を掛けることにより、吊下支持した傘の盗難を防ぐことができる。
【００３９】
前方側支持体部Ｅと後方側支持体部Ｑは、それぞれ左右一対の前側支柱部Ｅａと後側支柱部Ｑａが直立した状態で、前後に平行状に位置し、前後方向において、近接し合った位置と離隔し合った位置をとり得るように、前後方向に開閉し得る左右の連係機構Ｏにより連係している。なお、連係機構は、この例に限らず、種々の連係機構を利用することができることは言うまでもない。
【００４０】
左右一対の前側支柱部Ｅａと後側支柱部Ｑａの下端部は、それぞれ自在車輪Ｃにより支持されている。傘保持装置は、拡形状態においても縮形状態においても自在車輪Ｃにおいて被載置面上に自立し、前方側支持体部Ｅと後方側支持体部Ｑを、前後方向において離隔し合った位置と近接し合った位置の間で相対移動させる際、並びに、傘保持装置全体を移動させる場合に、被載置面上を転動させて円滑に移動を行い得る。
【００４１】
傘保持装置を使用する場合は、図１、図３及び図４に示すように、左右の連係機構Ｏが開いて前方側支持体部Ｅと後方側支持体部Ｑが離隔し合った状態として、傘保持装置を前後方向に拡形させる。この場合、前方側被支持部Ｆにおける各傘支持部Ｆｂと、それよりも上方に位置する後方側被支持部Ｒ（必ずしも後方側被支持部Ｒを前方側被支持部Ｆよりも上方に位置させることを要するものではない）における各傘支持部Ｒｂは、前後方向に離隔するため、それぞれの傘支持部における全ての傘保持器Ｋを傘の吊下支持に使用し得る。なお、装置が拡形状態にある場合に、各被支持部は、前方側から後方側に向かって順次高く位置するものとすることにより、各被支持部に支持される対象物を被支持部に支持させたり被支持部から対象物を取り外すというような作業を円滑に行い得るものとすることや、各被支持部を見渡してそれらに支持された対象物を見付けることを容易にすることができる。
【００４２】
傘保持装置の使用を終えて収納等のために縮形する場合、図２に示すように、左右の連係機構Ｏが閉じて前方側支持体部Ｅと後方側支持体部Ｑが近接し合った状態として、傘保持装置を前後方向に縮形させる。この場合、前方側被支持部Ｆと後方側被支持部Ｒが前後方向において重なり、前方側被支持部Ｆにおける各傘支持部Ｆｂは、前後方向においてほぼ同じ位置において、後方側被支持部Ｒにおける各傘支持部Ｒｂの下方に位置する。
【００４３】
前方側被支持部Ｆは前方側支持体部Ｅから後方に張り出しており、後方側被支持部Ｒは後方側支持体部Ｑから前方に張り出している。傘保持装置が前後方向に拡形した状態においても縮形した状態においても、前方側支持体部Ｅと後方側支持体部Ｑは、前方側被支持部Ｆ及び後方側被支持部Ｒの双方に対しそれぞれ前方側及び後方側に位置するので、何れの場合も傘保持装置の良好な自立安定性を実現することができる。
【００４４】
連係機構Ｏは、相対する上方横材Ｕ、相対する下方横材Ｌ、相対する斜材Ｄ、中間縦材Ｖ、及びスライダＳを有してなる。この連係機構Ｏにおいては、前記各部材が次のように互いに回動可能に連結されている。各部材の回動可能な連結における回動軸線の方向は、何れも傘保持装置の拡縮方向である前後方向に対しほぼ垂直なほぼ水平方向である。
【００４５】
相対する前側支柱部Ｅａと後側支柱部Ｑａの上下中間位置に、相対する上方横材Ｕの各外端部が回動可能に連結され、それらの前側支柱部Ｅａと後側支柱部Ｑａの下端付近には、相対する下方横材Ｌの各外端部、及び相対する斜材Ｄの各外端部が、それぞれ回動可能に連結されている。
【００４６】
中間縦材Ｖの上端は、上部が側方に張り出した把手状部Ｖ２に形成され、この把手状部Ｖ２に、相対する上方横材Ｕの各内端部が回動可能に連結され、中間縦材Ｖの下部Ｖ１には、相対する下方横材Ｌの各内端部が回動可能に連結されている。
【００４７】
スライダＳは、中間縦材Ｖに対し把手状部Ｖ２と下部Ｖ１の間で上下摺動可能に外嵌保持され、スライダＳには、相対する斜材Ｄの各内端部が回動可能に連結されている。中間縦材Ｖにおける把手状部Ｖ２の下面は、スライダ当接部を構成している。
【００４８】
図１並びに図３及び図４に示すように左右の連係機構Ｏが開いて前方側支持体部Ｅと後方側支持体部Ｑが離隔し合った状態とする場合、連係機構Ｏにおける相対する上方横材Ｕ及び相対する下方横材Ｌがそれぞれ拡開した水平方向姿勢をとると共に、相対する斜材Ｄが各外端部から各内端部に向かって斜め上を向く姿勢をとる。上方横材Ｕの各内端部が把手状部Ｖ２に連結され、下方横材Ｌの各内端部が下部Ｖ１に連結されている中間縦材Ｖは、縦方向（特に垂直方向）姿勢をとる。
【００４９】
内上方に傾斜する斜材Ｄの各内端部が連結されたスライダＳはスライダ当接部を構成する把手状部Ｖ２の下面に上向きに当接して中間縦材Ｖの上端の把手状部Ｖ２を上向きに支持する。そのため、前側支柱部Ｅａ及び後側支柱部Ｑａの傾斜並びに上方横材Ｕ及び下方横材Ｌの各内端部の下降が防がれる。また、上方横材Ｕ及び下方横材Ｌがそれぞれ水平方向姿勢をとるため、それらの内端部は、相対する前側支柱部Ｅａと後側支柱部Ｑａを両側から押圧しても上昇し難い。そのため、傘保持装置は安定的に自立した状態を維持し得る。
【００５０】
前方側受皿部Ｍａは、前側の左右下方横材Ｌ間に支持され、後方側受皿部Ｍｂは、後側の左右下方横材Ｌ間に支持されている。
【００５１】
図１並びに図３及び図４に示すように傘保持装置が前後方向に拡形した状態において、前方側受皿部Ｍａと後方側受皿部Ｍｂは、傘支持部の下方ににおいてそれぞれ正立状に前後に並んだ状態となる。従ってこの状態において、前方側受皿部Ｍａ及び後方側受皿部Ｍｂは、それぞれ各傘支持部Ｆｂ及び各傘支持部Ｒｂにおける傘保持器Ｋに吊下支持された傘からの滴を受けて溜めることができる。
【００５２】
なお、上方横材Ｕ及び下方横材Ｌがそれぞれ前側支柱部Ｅａと後側支柱部Ｑａに対し水平方向と上向きとの間で回動することを許容する状態で、上方横材Ｕ及び下方横材Ｌを各外端部においてそれぞれ水平方向に支持し得る支持部（例えば水平方向に張り出して水平方向姿勢の上方横材Ｕ又は下方横材Ｌを下側から支持し得る支持部）を前側支柱部Ｅａと後側支柱部Ｑａに有するものとすると、傘保持装置が拡開して自立した状態において、上方横材Ｕ及び下方横材Ｌがそれぞれの外端部においてその支持部により水平方向に支持されるので、傘保持装置が拡開して自立した状態をより安定的に維持し得る。
【００５３】
相対する前側支柱部Ｅａと後側支柱部Ｑａが開いて傘保持装置が自立した状態において、中間縦材Ｖの上端の把手状部Ｖ２を引き上げれば、図２に示すように連係機構Ｏを閉じて傘保持装置を縮形することができる。把手状部Ｖ２を引き上げることにより、相対する上方横材Ｕ及び相対する下方横材Ｌは、それらの各内端部が上方へ引き上げられて上向きに回動し、内方に向かって上向きに傾斜して互いに閉じた姿勢をとる。それと共に、斜材Ｄも各内端部が上昇して上向きに回動し、閉じた姿勢をとり且つスライダＳが上昇する。但し、スライダＳの位置は中間縦材Ｖの上下中間位置となり、中間縦材Ｖに対するスライダＳの相対位置は下降することになる。これにより、傘保持装置は縮形して自立した状態となる。
【００５４】
或いは、相対する前側支柱部Ｅａと後側支柱部Ｑａが開いて自立した状態において、下方横材Ｌの内端部付近又は中間縦材Ｖの下部Ｖ１を蹴り上げ（又は押し上げ）て、連係機構Ｏを挟んで相対する前側支柱部Ｅａと後側支柱部Ｑａ同士を両側から押圧することによっても、傘保持装置を閉じることができる。下方横材Ｌの内端部付近又は中間縦材Ｖの下部Ｖ１を蹴り上げ（又は押し上げ）ることにより、中間縦材Ｖを介して上方横材Ｕ及び下方横材Ｌの各内端部が連動して上昇し、上方横材Ｕ及び下方横材Ｌは上向きに回動し易くなる。次いで相対する前側支柱部Ｅａと後側支柱部Ｑａを両側から押圧することにより上方横材Ｕ及び下方横材Ｌが上向きに回動すると共に、斜材Ｄも各内端部が上昇して上向きに回動し且つスライダＳが上昇し、傘保持装置は閉じて自立した状態となる。従って、傘保持装置を閉じる場合、把手状部Ｖ２を引き上げるか、下方横材Ｌの内端部付近又は中間縦材Ｖの下部Ｖ１を蹴り上げ（又は押し上げ）るかを、操作者との位置関係等に応じ適宜選択し得る。
【００５５】
右側の後側支柱部Ｑａの上下中間位置に、先端部に掛止切欠部Ｎａを有する拡開止めＮの基部が回動可能に連結され、左側の前側支柱部Ｅａの上下中間位置にも、同様の拡開止めＮの基部が回動可能に連結されている。
【００５６】
図２に示すように連係機構Ｏが閉じて傘保持装置が前後方向に縮形した状態において、両拡開止めＮの先端部の掛止切欠部ＮａをそれぞれスライダＳに設けられた掛止突部に掛止させることにより、スライダＳが下降すること及びそれに伴い連係機構Ｏが開いて傘保持装置が拡形することが、防がれる。
【００５７】
この状態では、前方側受皿部Ｍａ及び後方側受皿部Ｍｂは、図２に示すように、前方側受皿部Ｍａの後側及び後方側受皿部Ｍｂの前側が上方に位置して互いに背中合わせ状に傾斜した状態となる。
【００５８】
なお、傘保持装置を前後方向に拡形させるには、両拡開止めＮによるスライダＳに設けられた掛止突部に対する掛止を解除し、把手状部Ｖ２の押し下げ等により左右の連係機構Ｏを開いて前方側支持体部Ｅと後方側支持体部Ｑが離隔し合った状態とすればよい。
【００５９】
以上の実施の形態についての記述における構成部品の個数、形状、その相対配置などは、特にそれらに限定される旨の記載がない限りは、この発明の範囲をそれらのみに限定する趣旨のものではなく、単なる説明例に過ぎない。
【図面の簡単な説明】
【００６０】
【図１】拡形状態の右側面図である。
【図２】縮形状態の右側面図である。
【図３】拡形状態の正面図である。
【図４】拡形状態の平面図である。
【符号の説明】
【００６１】
Ｃ    自在車輪
Ｄ    斜材
Ｅ    前方側支持体部
Ｅａ  前側支柱部
Ｅｂ  前側上水平部
Ｅｃ  前側下水平部
Ｆ    前方側被支持部
Ｆａ  前側片持部
Ｆｂ  傘支持部
Ｋ    傘保持器
Ｌ    下方横材
Ｍａ  前方側受皿部
Ｍｂ  後方側受皿部
Ｎ    拡開止め
Ｎａ  掛止切欠部
Ｏ    連係機構
Ｐ    表示板
Ｑ    後方側支持体部
Ｑａ  後側支柱部
Ｒ    後方側被支持部
Ｒａ  後側片持部
Ｒｂ  傘支持部
Ｓ    スライダ
Ｕ    上方横材
Ｖ    中間縦材
Ｖ１  縦材下端部
Ｖ２  把手状上部
【図１】
2008301844.tif 000003
【図２】
2008301844.tif 000004
【図３】
2008301844.tif 000005
【図４】
2008301844.tif 000006